(57)【要約】【課題】アンテナユニットと他の回路部分との距離を長くすることができ、リーダ及び／又はライタを有する装置内において、各パーツの配置の自由度を向上させることができ装置の小型化を図ることができるＩＣタグ用リーダ及び／又はライタを得る。【解決手段】回路ユニット６と複数のアンテナユニットＡＵ１〜ＡＵｎに分割されており、回路ユニット６の制御回路部３とアンテナユニットＡＵ１〜ＡＵｎの各変復調回路部４との間を伝送路５を介して信号伝送を行うようにすることによってアンテナＡＮＴ１の配置の自由度を確保するようにした。【選択図】図２
2011019284.tif 000002
【特許請求の範囲】
【請求項１】
複数のＩＣタグに対してデータの書き込み及び／又は読み出しを行うＩＣタグ用リーダ及び／又はライタにおいて、
前記各ＩＣタグに対応して、アンテナと、該アンテナから送受信される信号に対して変調又は復調を行う回路とを有した複数のアンテナユニット部と、
該各アンテナユニット部と伝送路を介して接続され、前記変調又は復調を行う回路の制御を行う制御回路部と、該制御回路部に入力のみの接続をされた発信回路部とを有した回路ユニット部と、
を備えることを特徴とするＩＣタグ用リーダ及び／又はライタ。
【請求項２】
前記各アンテナユニット部及び回路ユニット部は、前記伝送路を介して信号の授受を行うためのインタフェース回路をそれぞれ備えることを特徴とする請求項１記載のＩＣタグ用リーダ及び／又はライタ。
【発明の詳細な説明】
【技術分野】
【０００１】
本発明は、ＩＣタグに対してデータの読み出し及び／又は書き込みを行うリーダ及び／又はライタに関するものであり、特に、リーダ及び／又はライタのアンテナ部分とデータ処理部を分離してリーダ及び／又はライタの設置の自由度の改善を図ることができるＩＣタグ用リーダ及び／又はライタ、並びにＩＣタグ用リーダ及び／又はライタを有する装置に関するものである。
【背景技術】
【０００２】
図８は、従来のリーダ／ライタの構成例を示したブロック図である。
図８において、リーダ／ライタ１００は、ＩＣタグ１１０からのデータ読み出し及びＩＣタグ１１０へのデータ書き込みを行うものであり、発振回路部１０１、制御回路部１０２、変復調回路部１０３及びアンテナＡＮＴａで構成されている。また、ＩＣタグ１１０は、アンテナＡＮＴｂと変復調回路部１１１で構成されている。発振回路部１０１は、ＩＣタグ１１０と無線通信を行うための搬送波を生成して出力する。
【０００３】
ＩＣタグ１１０にデータを書き込む場合、制御回路部１０２は、発振回路部１０１から出力された搬送波に重畳するデータ信号の入出力制御を行う。変復調回路部１０３は、制御回路部１０２から出力された搬送波とデータ信号を受けて、該搬送波にデータ信号に基づいた変調を施してアンテナＡＮＴａに出力する。アンテナＡＮＴａは変調されたデータを電波にして放出する。ＩＣタグ１１０は、リーダ／ライタ１００から送られる電波をアンテナＡＮＴｂで受信し、該受信した信号を変復調回路部１１１で復調する。
【０００４】
また、リーダ／ライタ１００がＩＣタグ１１０のデータを読み出す場合について説明する。
リーダ／ライタ１００からリードコマンドデータがＩＣタグ１１０に送られると、ＩＣタグ１１０は所望のデータを変復調回路部１１１で搬送波に変調を施し、ＩＣタグ１１０のアンテナＡＮＴｂから電波にして放出する。リーダ／ライタ１００は、該電波をアンテナＡＮＴａで受信して、該受信した信号を変復調回路部１０３で復調し、制御回路部１０２で所望のデータを取り出す。
【０００５】
このような機能を備えた従来のリーダ／ライタ１００は、発振回路部１０１、制御回路部１０２及び変復調回路部１０３からなる回路ユニット１０５を１チップ又は複数の集積回路で実現して、一体となった形態で組み立てられている。また、回路ユニット１０５とアンテナＡＮＴａは一体に形成してもよいが、アンテナＡＮＴａを回路ユニット１０５から離して設置する場合、回路ユニット１０５とアンテナＡＮＴａをケーブルで接続していた。
【０００６】
なお、従来においては、複数個の物品が重ねられた状態でリーダによりデータの一括読取が行われる場合でも、各々の動作用電源が適切に得ることができるＩＤタグ及びＩＤタグの受信電力制御方法があった（例えば、特許文献１参照。）。また、識別符号が付与されたタグを、無線周波数帯の搬送波を用いて非接触にて確実に識別することにより、タグの取り付けられた物体を識別し、その物体を制御、管理する無線周波符号識別のための、多くの設計仕様に自動的に対応できる無線周波符号識別方法があった（例えば、特許文献２参照。）。
【発明の概要】
【発明が解決しようとする課題】
【０００７】
しかし、図８において、回路ユニット１０５とアンテナＡＮＴａをケーブルで接続する場合は、変調が施された搬送波をケーブルを使用して伝送するため、搬送波の周波数が高くなるほどケーブルによる損失が大きくなり、ケーブルの長さを１００ｍｍから２００ｍｍ程度までしか伸ばすことができず、回路ユニット１０５とアンテナＡＮＴａの配置に対する大きな制約となっていた。
また、回路ユニット１０５とアンテナＡＮＴａを接続しているケーブルから放出される不要な電波は装置内の回路に対するノイズ発生源となっていた。更に、搬送波の周波数が高くなるに連れノイズの発生は多くなるため高い周波数の場合は、回路ユニット１０５とアンテナＡＮＴａを離すことは困難であった。
【０００８】
本発明は、上記のような問題を解決するためになされたものであり、リーダ及び／又はライタを構成している変復調回路部とアンテナを一体にしてアンテナユニットとして他の回路から分離させるようにし、該アンテナユニットと他の回路部分との距離を長くすることができ、リーダ及び／又はライタを有する装置内において、各パーツの配置の自由度を向上させることができ装置の小型化を図ることができるＩＣタグ用リーダ及び／又はライタを得ることを目的とする。
【課題を解決するための手段】
【０００９】
この発明に係るＩＣタグ用リーダ及び／又はライタは、複数のＩＣタグに対してデータの書き込み及び／又は読み出しを行うＩＣタグ用リーダ及び／又はライタにおいて、
前記各ＩＣタグに対応して、アンテナと、該アンテナから送受信される信号に対して変調又は復調を行う回路とを有した複数のアンテナユニット部と、
該各アンテナユニット部と伝送路を介して接続され、前記変調又は復調を行う回路の制御を行う制御回路部と、該制御回路部に入力のみの接続をされた発信回路部とを有した回路ユニット部と、
を備えるものである。
【００１０】
また、前記各アンテナユニット部及び回路ユニット部は、前記伝送路を介して信号の授受を行うためのインタフェース回路をそれぞれ備えるようにしてもよい。
【発明の効果】
【００１１】
本発明のＩＣタグ用リーダ及び／又はライタによれば、アンテナを有し該アンテナから送受信される信号に対して変調又は復調を対応して行うアンテナユニット部、及び前記アンテナから送信するためのデータ信号と搬送波を該アンテナユニット部に出力し、アンテナユニット部で復調された信号からデータの抽出を行う回路ユニット部を分離して配置するようにしたことから、アンテナユニット部と回路ユニット部との距離を長くすることができ、アンテナユニット部と回路ユニット部の配置の自由度を向上させることができ、このようなＩＣタグ用リーダ及び／又はライタを有する装置の小型化を図ることができる。
【００１２】
また、アンテナユニット部に、回路ユニット部から送られてきた搬送波を逓倍する周波数逓倍回路部を備えたことから、ＩＣタグとの通信に使用する周波数が高くなっても、回路ユニット部とアンテナユニット部を接続する信号伝送部には低い周波数の信号しか伝送されないため、信号伝送部から放出される不要電波が少なくなり、装置内の回路に対するノイズ発生を少なくすることができる。
また、搬送波として使用する所定の周波数の信号をアンテナユニット部の発振回路部で生成し該信号を信号生成回路部で分周して低周波に変換した信号を用いてアンテナユニット部と回路ユニット部の通信を行うようにしたことから、信号伝送部から放出される不要電波を減らし、回路ユニット部の発振回路部を不要にすることができる。
【００１３】
また、アンテナユニット部における変復調回路部と変復調に関わる部分だけを１チップのＩＣに集積し、通信モードに関わる回路は制御回路部で処理するようにしたことから、アンテナユニット部で使用する集積回路の汎用性を高めることができ、量産効率が向上して安価に製造することができる。また、制御回路部の通信モードに関わる部分を、例えばソフトウエアによって動作するＣＰＵ等を使用して実現するようにしたことから、制御回路部の共通化を図ることができ、多くの通信モードに対応させても回路規模の増加を抑えることができる。更に、変復調回路部と制御回路部との通信信号がデジタル信号になるようにしたことから、アンテナユニット部と回路ユニット部の距離が長くなるようにしても信号の減衰がなく、アンテナユニット部と回路ユニット部を自由に配置することができる。
【図面の簡単な説明】
【００１４】
【図１】本発明の第１の実施の形態におけるＩＣタグ用リーダ／ライタの構成例を示した図である。
【図２】本発明の第１の実施の形態におけるＩＣタグ用リーダ／ライタの他の構成例を示した図である。
【図３】本発明の第２の実施の形態におけるＩＣタグ用リーダ／ライタの構成例を示した図である。
【図４】本第２の実施の形態におけるＩＣタグ用リーダ／ライタを装置に応用した場合の例を示したものである。
【図５】本発明の第３の実施の形態におけるＩＣタグ用リーダ／ライタの構成例を示した図である。
【図６】本発明の第３の実施の形態におけるＩＣタグ用リーダ／ライタの他の構成例を示した図である。
【図７】本発明の第３の実施の形態におけるＩＣタグ用リーダ／ライタの他の構成例を示した図である。
【図８】従来のリーダ／ライタの構成例を示したブロック図である。
【図９】本発明の第４の実施の形態におけるＩＣタグ用リーダ／ライタの構成例を示した図である。
【図１０】本発明の第４の実施の形態におけるＩＣタグ用リーダ／ライタの他の構成例を示した図である。
【図１１】本発明の第５の実施の形態におけるＩＣタグ用リーダ／ライタの構成例を示した図である。
【図１２】本発明の第６の実施の形態におけるＩＣタグ用リーダ／ライタの構成例を示した図である。
【図１３】本発明の第７の実施の形態におけるＩＣタグ用リーダ／ライタの構成例を示した図である。
【図１４】図１３のＩＣタグ８０から送信されるＩＤ情報の例を示した図である。
【図１５】本第７の実施の形態におけるＩＣタグ用リーダ／ライタの制御回路部の動作例を示したフローチャートである。
【図１６】本発明の第７の実施の形態におけるＩＣタグ用リーダ／ライタの他の構成例を示した図である。
【発明を実施するための形態】
【００１５】
次に、図面に示す実施の形態に基づいて、本発明を詳細に説明する。
第１の実施の形態．
図１は、本発明の第１の実施の形態におけるＩＣタグ用リーダ／ライタの構成例を示した図である。
図１において、リーダ／ライタ１は、所定の周波数の搬送波を生成して出力する発振回路部２と、発振回路部２からの搬送波に重畳するデータ信号の入出力を行う制御回路部３と、変復調回路部４と、アンテナＡＮＴ１と、伝送路５とを備えている。発振回路部２と制御回路部３が１つのチップ又は複数の集積回路で形成された１つのユニットである回路ユニット６をなし、アンテナＡＮＴ１と変復調回路部４が１つのユニットを形成してアンテナユニット７をなしている。なお、回路ユニット６は回路ユニット部を、アンテナユニット７はアンテナユニット部を、伝送路５は信号伝送部をそれぞれなす。
【００１６】
回路ユニット６において、発振回路部２は制御回路部３に接続され、アンテナユニット７において、アンテナＡＮＴ１は変復調回路部４に接続されている。制御回路部３と変復調回路部４は、信号線や赤外線等を使用した、信号の伝送を行う伝送路５を介して信号の授受を行っている。発振回路部２は、ＩＣタグ１０と無線通信を行うための搬送波を生成して出力し、該搬送波の周波数は１３.５６ＭＨｚが一般的に使用されるが、用途によっては１２０ｋＨｚ〜５００ｋＨｚの低周波や、９００ＭＨｚ及び２.４５ＧＨｚの極超短波が使用される場合もある。
【００１７】
制御回路部３は、発振回路部２から出力された搬送波に重畳するデータの入出力制御を行う。変復調回路部４は、伝送路５を介して制御回路部３から入力された搬送波とデータ信号に対して所定の方法で変調してアンテナＡＮＴ１に出力し、アンテナＡＮＴ１から入力された受信信号に対しては所定の方法で復調して、伝送路５を介して制御回路部３に出力する。
一方、ＩＣタグ１０は、アンテナＡＮＴ２と変復調回路部１１とを備え、アンテナＡＮＴ２は変復調回路部１１に接続されている。なお、ＩＣタグ１０の内部構成及び動作は公知であり、詳細な構成及び動作の説明を省略する。
【００１８】
このような構成において、ＩＣタグ１０にデータを書き込む場合について説明する。
制御回路部３は、発振回路部２から入力された搬送波と、該搬送波に重畳させる送信データを示す信号とを同期させて変復調回路部４に出力する。変復調回路部４は、制御回路部３から出力された搬送波と送信データ信号を受けて、該搬送波に送信データ信号に基づいた変調を施してアンテナＡＮＴ１に出力する。アンテナＡＮＴ１は変調された信号を電波にして放出する。ＩＣタグ１０は、リーダ／ライタ１から送信された電波をアンテナＡＮＴ２で受信し、該受信した信号を変復調回路部１１で復調する。
【００１９】
次に、ＩＣタグ１０からデータを読み出す場合について説明する。
リーダ／ライタ１からリードコマンドデータがＩＣタグ１０に送信されると、ＩＣタグ１０は所望のデータを変復調回路部１１で搬送波に変調を施し、ＩＣタグ１０のアンテナＡＮＴ２から電波にして送信する。リーダ／ライタ１は、該電波をアンテナＡＮＴ１で受信して、該受信した信号を変復調回路部４で復調し、制御回路部３で所望のデータを取り出す。
【００２０】
リーダ／ライタ１は、回路ユニット６とアンテナユニット７の２つのユニットに分割されており、回路ユニット６の制御回路部３とアンテナユニット７の変復調回路部４との間を伝送路５を介して信号伝送を行うようにすることによってアンテナＡＮＴ１の配置の自由度を確保している。また、変復調回路部４を集積回路にした場合は、通常、アンテナＡＮＴ１よりも十分小さくすることができ、アンテナＡＮＴ１の一部に収めることにより、アンテナＡＮＴ１を配置するうえではほとんど影響を与えることはない。
【００２１】
このように、制御回路部３と変復調回路部４との間では、搬送波とデータ信号が重畳された状態になっておらず別になっていることから、変復調回路部４とアンテナＡＮＴ１との間よりも、伝送路５の長さを長くすることができる。このため、リーダ／ライタ１を内蔵した装置では、回路ユニット６とアンテナユニット７の配置の自由度が大きくなり、該装置の小型化を図ることができる。なお、図１では、制御回路部３と変復調回路部４を伝送路５で接続するようにしたが、発振回路部２と制御回路部３を伝送路５で接続し、制御回路部３をアンテナユニット内に設けるようにしてもよい。
【００２２】
ここで、図１では、ＩＣタグ１０が１つの場合を例にして示したが、ＩＣタグ１０が複数ある場合は、図２のようになる。図２では、ＩＣタグＩＴ１〜ＩＴｎ（ｎはｎ＞１の自然数）に対して、ＩＣタグＩＴ１〜ＩＴｎに対応してアンテナユニットＡＵ１〜ＡＵｎが設けられており、各アンテナユニットＡＵ１〜ＡＵｎは伝送路５を介してそれぞれ回路ユニット６の制御回路部３に接続されている。ＩＣタグＩＴ１〜ＩＴｎはＩＣタグ１０と同じ構成をなし、アンテナユニットＡＵ１〜ＡＵｎはアンテナユニット７と同じ構成をなしている。図２において、各部の動作は図１と同様であるのでその説明を省略する。なお、アンテナユニットＡＵ１〜ＡＵｎはそれぞれアンテナユニット部をなす。
【００２３】
第２の実施の形態．
前記第１の実施の形態では、ＩＣタグとの通信で使用される搬送波の周波数は１種類であり、搬送波に使用されている該周波数の電波を遮蔽又は減衰してしまう環境にＩＣタグが取り付けられている場合は、そのＩＣタグとの通信が行えないという問題があった。そこで、通信周波数の異なる複数のＩＣタグに対して、該各通信周波数の搬送波をそれぞれ生成し、該各搬送波を切り替えて使用するようにしてもよく、このようにしたものを本発明の第２の実施の形態とする。
【００２４】
図３は、本発明の第２の実施の形態におけるＩＣタグ用リーダ／ライタの構成例を示した図である。
図３において、リーダ／ライタ２１は、所定の複数の周波数の搬送波をそれぞれ生成して出力する発振回路部２２と、入力された制御信号に応じて発振回路部２２から出力された各搬送波の内１つを選択して出力する切替回路部２３と、切替回路部２３の切り替え制御を行い切替回路部２３からの搬送波に重畳するデータ信号の入出力を行う制御回路部２４と、記憶部２５と、伝送路２７と、変復調回路部ＭＤ１〜ＭＤｎと、アンテナＡＮＴ１〜ＡＮＴｎとを備えている。
【００２５】
発振回路部２２、切替回路部２３、制御回路部２４及び記憶部２５が１つのチップ又は複数の集積回路で形成された１つのユニットである回路ユニット２６をなし、アンテナＡＮＴｋ（ｋ＝１〜ｎ）と変復調回路部ＭＤｋが１つのユニットを形成してアンテナユニットＡＵｋをなしている。なお、回路ユニット２６は回路ユニット部をなし、アンテナユニットＡＵ１〜ＡＵｎはそれぞれアンテナユニット部をなし、伝送路２７は信号伝送部をなす。
【００２６】
発振回路部２２は、第１周波数〜第ｍ（ｍは、１＜ｍ≦ｎの自然数）周波数の各搬送波Ｓ１〜Ｓｍを生成して切替回路部２３に出力する。切替回路部２３は、制御回路部２４からの制御信号に応じて発振回路部２２から入力されている各搬送波Ｓ１〜Ｓｍのいずれか１つを排他的に選択して制御回路部２４に出力する。記憶部２５は、通信を行う対象となるすべてのＩＣタグＩＴ１〜ＩＴｎの通信周波数や通信プロトコル等のデータを記憶しており、制御回路部２４は、記憶部２５に記憶されているこれらのデータを基に１つの搬送波を選択し、切替回路部２３に対して、該選択した搬送波を出力するように動作制御を行う。
【００２７】
変復調回路部ＭＤ１〜ＭＤｎは、制御回路部２４から出力された搬送波と送信データを示す信号を、信号線や赤外線等を使用した、信号の伝送を行う伝送路２７を介して受けて、該搬送波に送信データ信号に基づいた変調を施して対応するアンテナＡＮＴ１〜ＡＮＴｎに送る。また、変復調回路部ＭＤ１〜ＭＤｎは、対応するアンテナＡＮＴ１〜ＡＮＴｎで受信された信号を復調し、該復調した信号を伝送路２７を介して制御回路部２４に出力する。制御回路部２４は、該入力された信号からデータを取り出す。
ＩＣタグＩＴ１〜ＩＴｎのアンテナＡＮＴａ１〜ＡＮＴａｎは、対応するアンテナユニットＡＵ１〜ＡＵｎのアンテナＡＮＴ１〜ＡＮＴｎに近接して配置されている。アンテナＡＮＴｋ（ｋ＝１〜ｎ）とアンテナＡＮＴａｋの共振周波数は同じ第ｋ周波数に設定されており、基本的には、アンテナＡＮＴｋを介して通信を行うＩＣタグはＩＣタグＩＴｋだけである。
【００２８】
ただし、リーダ／ライタ側の１つのアンテナの近傍に複数のＩＣタグ側のアンテナを配置することができ、同じ周波数で通信することができる場合は、リーダ／ライタ側のアンテナユニットにおける１組の変復調回路部とアンテナで、複数のＩＣタグと通信を行うこともできる。
リーダ／ライタ２１がＩＣタグＩＴｋと通信を行う場合は、制御回路部２４は記憶部２５に記憶されているＩＣタグＩＴｋの共振周波数のデータを読み取り、切替回路部２３に送る。切替回路部２３は、制御回路部２４からの信号に応じた周波数の搬送波を選択して制御回路部２４に出力する。制御回路部２４は、更に、記憶部２５に記憶されているＩＣタグＩＴｋのセレクトデータと、通信プロトコル等の情報を取り出し、入力された搬送波と共に変復調回路部ＭＤｋに出力する。
【００２９】
変復調回路部ＭＤｋでは、該搬送波にデータ信号に基づいた変調を施して対応するアンテナＡＮＴｋに送る。アンテナＡＮＴｋから放出された電波をＩＣタグＩＴｋのアンテナＡＮＴａｋで受信し、該受信した信号を変復調回路部ＭＤａｋで復調する。
アンテナＡＮＴｋから送信された電波と同じ周波数の搬送波を使用した電波が他のアンテナから送信されることは、制御回路部２４によって禁止することができる。
【００３０】
また、制御回路部２４がこのような禁止機能を保有していない場合でも、リーダ／ライタ２１の他の変復調回路部に変復調回路部ＭＤｋと同じ信号が送られ、アンテナＡＮＴｋ以外のアンテナからも第ｋ周波数の電波が放出されるが、アンテナＡＮＴｋ以外のアンテナの共振周波数は第ｋ周波数ではないので、アンテナＡＮＴｋ以外のアンテナから送信される電波は弱い。
更に、ＩＣタグＩＴｋ以外のＩＣタグのアンテナの共振周波数も第ｋ周波数でないことから、ＩＣタグＩＴｋ以外のＩＣタグのアンテナに誘導される信号は非常に弱く、通信を行うことはできない。
【００３１】
リーダ／ライタ２１がＩＣタグＩＴｋ以外のＩＣタグ、例えばＩＣタグＩＴ２と通信を行う場合は、制御回路部２４は、切替回路部２３に該ＩＣタグＩＴ２に対応した第２周波数の搬送波Ｓ２を選択し、記憶部２５に記憶されている該ＩＣタグＩＴ２のセレクトデータと、通信プロトコル等の情報を、第２周波数の搬送波Ｓ２と共に伝送路２７を介して変復調回路部ＭＤ２に出力することで、ＩＣタグＩＴｋの場合と同様にＩＣタグＩＴ２だけと通信を行うことができる。
【００３２】
ＩＣタグとリーダ／ライタとの通信速度は、搬送波の周波数が高いほど速くなるので、リーダ／ライタとＩＣタグとの間で通信を行う周波数は、ＩＣタグが取り付けられている環境や、必要な通信速度に応じて変える。
ＩＣタグが取り付けられている面の材質が金属や導電材料である場合は、これらの材質の影響を受けにくい１２０ｋＨｚから５００ｋＨｚの低周波数を選択する。また、ＩＣタグが非金属や絶縁材料等に取り付けられている場合は、１３.５６ＭＨｚの高周波を使用し、通信速度も速くすることができる。
【００３３】
更に、要求される通信速度と、ＩＣタグ取り付け面の環境によって、９００ｋＨｚや２.４ＧＨｚ等の周波数も選択可能である。
図４は、本第２の実施の形態におけるリーダ／ライタを複写機やプリンタ等の装置に応用した場合の例を示したものである。
図４において、装置３１には複数のパーツ３５，３６が取り付け部３２に取り付けられている。例えば、装置３１が複写機やプリンタ等の場合、パーツ３５，３６としてはトナー部等が考えられる。装置３１の性能を確保するため、該パーツ３５，３６の各情報をそれぞれチェックする必要がある。そこで、パーツ３５，３６にＩＣタグＩＴ１，ＩＴ２を取り付け、リーダ／ライタ２１で各パーツ３５，３６に取り付けられたＩＣタグＩＴ１，ＩＴ２の情報を確認する。
【００３４】
パーツ３５には、ＩＣタグＩＴ１が取り付けられている。該取り付け位置は、パーツ３５を装置３１に取り付けるための取り付け部３２付近に設ける。ＩＣタグＩＴ１と通信を行うリーダ／ライタ２１のアンテナＡＮＴ１は、装置３１の取り付け部３２に配置され、しかもパーツ３５に取り付けられたＩＣタグＩＴ１にできるだけ近い位置に取り付ける。パーツ３６に取り付けられたＩＣタグＩＴ２とリーダ／ライタ２１側のアンテナＡＮＴ２の取り付け位置についても同様である。
【００３５】
パーツ３５の材質が非金属又は絶縁材料であれば、ＩＣタグＩＴ１と通信を行う第１周波数は１３.５６ＭＨｚ等の高周波を選択することにより、データの転送速度を速くすることができる。また、パーツ３６のように材質が金属又は導電材料の場合は、金属にも影響を受けにくい通信周波数として１２０ｋＨｚから５００ｋＨｚの低周波を選択する。更に、パーツの材質と必要な通信速度の兼ね合いで上記以外の周波数、例えば９００ｋＨｚや２.４ＧＨｚ等を使用することもできる。
【００３６】
装置３１には複数のパーツが取り付け部３２に取り付けられている。装置３１の性能を確保するため、各パーツの情報をチェックする必要がある。そこで、図４で示すように、各パーツにＩＣタグを取り付け、リーダ／ライタで各パーツに取り付けられたＩＣタグの情報を確認するようにすればよい。
なお、図４では、パーツの数が２つの場合を例に示したが、装置３１に取り付けるすべてのパーツにＩＣタグを取り付けることもできる。
【００３７】
各パーツは装置のさまざまな場所に取り付けられているため、リーダ／ライタのアンテナユニットも各パーツに取り付けられているＩＣタグに対応する位置に配置させるため、回路ユニットからアンテナユニットまでの距離が長くなる場合が出てくる。このような場合においても、本第２の実施の形態のリーダ／ライタ２１のように、各アンテナユニットＡＵ１〜ＡＵｎにおいて、変復調回路部をアンテナと一体になるようにしたため、各アンテナユニットＡＵ１〜ＡＵｎと回路ユニット２６との距離が離れていてもデータの授受が行えるようになり、装置内での各パーツの配置の自由度が向上し装置の小型化を図ることができる。
【００３８】
第３の実施の形態．
前記第１及び第２の各実施の形態では、回路ユニットの制御回路部とアンテナユニットの変復調回路部は伝送路で直接接続するようにしたが、回路ユニット及びアンテナユニットにそれぞれインタフェース回路を設けて、該各インタフェース回路を伝送路５によって接続されるようにしてもよく、このようにしたものを本発明の第３の実施の形態とする。
【００３９】
図５は、本発明の第３の実施の形態におけるＩＣタグ用リーダ／ライタの構成例を示した図である。なお、図５では、図１の場合の構成を例にして示しており、図１と同じもの又は同様のものは同じ符号で示し、ここではその説明を省略すると共に、図１との相違点のみ説明する。
図５における図１との相違点は、回路ユニット６にインタフェース回路をなす通信回路部４１を、アンテナユニット７にインタフェース回路をなす通信回路部４２をそれぞれ設けるようにしたことにあり、これに伴って、図１の回路ユニット６を回路ユニット６ａに、図１のアンテナユニット７をアンテナユニット７ａにそれぞれし、図１のリーダ／ライタ１をリーダ／ライタ１ａにした。
【００４０】
図５において、リーダ／ライタ１ａは、発振回路部２と、制御回路部３と、変復調回路部４と、アンテナＡＮＴ１と、伝送路５と、シリアル通信を行うためのインタフェース回路をなす通信回路部４１，４２とを備えている。発振回路部２、制御回路部３及び通信回路部４１が１つのチップ又は複数の集積回路で形成された１つのユニットである回路ユニット６ａをなし、アンテナＡＮＴ１、変復調回路部４及び通信回路部４２が１つのユニットを形成してアンテナユニット７ａをなしている。
【００４１】
回路ユニット６ａにおいて、通信回路部４１は制御回路部３に接続され、アンテナユニット７ａにおいて、通信回路部４２は変復調回路部４に接続されている。通信回路部４１と通信回路部４２は、伝送路５を介して信号の授受を行っている。変復調回路部４は、通信回路部４１を介して制御回路部３から入力された搬送波と送信データ信号に対して所定の方法で変調し、アンテナＡＮＴ１から入力された受信信号に対して所定の方法で復調し、該復調して得られたデータ信号は、通信回路部４２から伝送路５、更に伝送路５から通信回路部４１を介して制御回路部３に入力される。
【００４２】
このようなことから、前記第１の実施の形態と同様の効果を得ることができると共に、伝送路５を使用して、回路ユニット６ａとアンテナユニット７ａとの間でシリアル通信を行うことができ、回路ユニット６ａとアンテナユニット７ａとの間での信号の授受をより確実に行うことができる。なお、図５では、制御回路部３と変復調回路部４との間を伝送路５及び通信回路部４１，４２で接続するようにしたが、発振回路部２と制御回路部３との間を伝送路５及び通信回路部４１，４２で接続し、制御回路部３をアンテナユニット内に設けるようにしてもよい。
【００４３】
ここで、図５では、ＩＣタグ１０が１つの場合を例にして示したが、ＩＣタグ１０が複数ある場合は、図６のようになる。図６では、ＩＣタグＩＴ１〜ＩＴｎに対して、アンテナユニットＡＵａ１〜ＡＵａｎがＩＣタグＩＴ１〜ＩＴｎに対応して設けられており、各アンテナユニットＡＵａ１〜ＡＵａｎは、それぞれの通信回路部４２及び伝送路５を介して回路ユニット６ａの通信回路部４１に接続されている。アンテナユニットＡＵａ１〜ＡＵａｎはアンテナユニット７ａと同じ構成をなしている。図６において、各部の動作は図５と同様であるのでその説明を省略する。
【００４４】
図７は、本発明の第３の実施の形態におけるＩＣタグ用リーダ／ライタの他の構成例を示した図であり、図７では、図３の場合の構成を例にして示しており、図３と同じもの又は同様のものは同じ符号で示しており、ここではその説明を省略すると共に、図３との相違点のみ説明する。
図７における図３との相違点は、回路ユニット２６の制御回路部２４と伝送路２７との間に通信回路部４１を設け、アンテナユニットＡＵ１〜ＡＵｎの変復調回路部ＭＤ１〜ＭＤｎと伝送路２７との間に通信回路部４２をそれぞれ設けたことにある。図７のようにすることにより、各アンテナユニットと回路ユニットとの距離を伸ばすことができ、リーダ／ライタを備えた装置内でのアンテナユニットと回路ユニットの配置の自由度を更に増大させることができる。
【００４５】
なお、前記図５〜図７において、アンテナユニットにもそれぞれ発振回路部を設けて非同期通信に対応するようにしてもよい。
【００４６】
第４の実施の形態．
前記第１から第３の各実施の形態では、リーダ／ライタとＩＣタグとの通信周波数が９００ＭＨｚや２.４５ＧＨｚの極超短波になると、回路ユニットとアンテナユニットを接続している伝送路をなすケーブルから放出される不要電波が多くなり、装置内の回路に対してノイズ発生源となるため、リーダ／ライタとＩＣタグとの通信周波数が高周波になると伝送路の長さを余り長くすることができなかった。そこで、アンテナユニットにＩＣタグと通信を行うための搬送波を生成する発振回路を設けるようにしてもよく、このようにしたものを本発明の第４の実施の形態とする。
【００４７】
図９は、本発明の第４の実施の形態におけるＩＣタグ用リーダ／ライタの構成例を示した図である。なお、図９では、図１と同じもの又は同様のものは同じ符号で示し、ここではその説明を省略すると共に図１との相違点のみ説明する。
図９における図１との相違点は、図１のアンテナユニット７にアンテナ側発振回路部５２、分周回路部５３及び位相比較回路部５４を設けたことにあり、これに伴って、図１のアンテナユニット７をアンテナユニット５１に、図１のリーダ／ライタ１をリーダ／ライタ５０にそれぞれした。
【００４８】
図９において、リーダ／ライタ５０は、回路ユニット６、アンテナユニット５１、及び回路ユニット６とアンテナユニット５１を接続する伝送路５で構成されている。回路ユニット６は、発振回路部２及び制御回路部３で構成され、アンテナユニット５１は、変復調回路部４と、アンテナＡＮＴ１と、入力された信号に応じた周波数の信号を生成して出力するアンテナ側発振回路部５２と、該アンテナ側発振回路部５２の出力信号を所定の分周比で分周して出力する分周回路部５３と、該分周回路部５３から入力された信号と回路ユニット６の制御回路部３から入力された信号の位相比較を行う位相比較回路部５４とを備えている。なお、アンテナユニット５１はアンテナユニット部をなし、アンテナ側発振回路部５２、分周回路部５３及び位相比較回路部５４は周波数逓倍回路部をなす。
【００４９】
アンテナユニット５１において、伝送路５を介して回路ユニット６の制御回路部３から入力された搬送波と分周回路部５３から出力された信号を、位相比較回路部５４で位相比較し、位相比較回路部５４は、該比較結果を示す信号をアンテナ側発振回路部５２に出力して、位相比較した該２つの信号の位相が一致するようにアンテナ側発振回路部５２の出力信号の周波数を調整する。変復調回路部４は、アンテナ側発振回路部５２から出力された周波数の信号を搬送波とし、回路ユニット６の制御回路部３から送られてきたデータで変調を行い、アンテナＡＮＴ１から電波を送出する。
【００５０】
このようにすることにより、アンテナ側発振回路部５２から出力される信号の周波数が９００ＭＨｚ又は２.４５ＧＨｚの極超短波であっても、回路ユニット６の制御回路部３から出力された搬送波は、アンテナ側発振回路部５２から出力される信号よりも低い周波数でよい。このため、回路ユニット６とアンテナユニット５１を接続している伝送路５には、低い周波数の搬送波しか伝送されないため、伝送路５をなすケーブルから放出される不要な電波が少なくなり、装置内の回路に対するノイズ発生を少なくすることができる。
【００５１】
一方、図９において、アンテナ側発振回路部５２、分周回路部５３及び位相比較回路部５４の代わりに図１０で示すようにＰＬＬ（Phase Locked Loop）回路５５を使用してもよい。なお、ＰＬＬ回路５５は周波数逓倍回路部をなす。また、図９及び図１０では、図１の構成のリーダ／ライタ１を例にして説明したが、図２及び図３の構成の場合、アンテナユニットＡＵ１〜ＡＵｎをそれぞれアンテナユニット５１の構成にすればよい。
【００５２】
第５の実施の形態．
前記第４の実施の形態では、回路ユニット６からアンテナユニット５１に送信する信号の搬送波を回路ユニット６内の発振回路部２で生成するようにしたが、アンテナユニット５１の分周回路部５３から出力される信号を回路ユニット６の制御回路部３に搬送波として出力するようにしてもよく、このようにしたものを本発明の第５の実施の形態とする。
【００５３】
図１１は、本発明の第５の実施の形態におけるＩＣタグ用リーダ／ライタの構成例を示した図である。なお、図１１では、図９と同じもの又は同様のものは同じ符号で示し、ここではその説明を省略すると共に図９との相違点のみ説明する。
図１１における図９との相違点は、回路ユニット６の発振回路部２がなくなり、制御回路部３には分周回路部５３からの信号が入力され、制御回路部３は該入力された信号を搬送波として使用するようにしたことにある。これに伴って、図９の回路ユニット６を回路ユニット６１にし、図９のリーダ／ライタ５０をリーダ／ライタ６０にした。
【００５４】
図１１において、アンテナユニット５１のアンテナ側発振回路部５２で生成された搬送波を分周回路部５３で所定の分周比で分周され、分周回路部５３から回路ユニット６１の制御回路部３に、ＩＣタグ１０との通信に使用する搬送波よりも低い周波数の発振信号が入力される。制御回路部３は、入力された該信号をアンテナユニット５１の変復調回路部４へデータを送信するための搬送波に使用する。このように、回路ユニット６１からアンテナユニット５１にデータを送信する際に使用する搬送波を、ＩＣタグ１０との通信に使用する搬送波よりも低い周波数にすることができ、アンテナユニット５１と回路ユニット６１とを接続する伝送路５から放出される不要な電波が少なくなり、装置内の回路に対するノイズの発生を少なくすることができる。なお、図１１の場合、位相比較回路部５４には、所定の基準周波数となる信号を発生する発振回路（図示せず）が内蔵され、回路ユニット６１は回路ユニット部をなし、アンテナ側発振回路部５２、分周回路部５３及び位相比較回路部５４は発振回路部をなし、分周回路部５３は信号生成回路部をなす。
【００５５】
第６の実施の形態．
前記第５の実施の形態では、回路ユニットの制御回路部とアンテナユニットの変復調回路部は伝送路で直接接続するようにしたが、回路ユニット及びアンテナユニットにそれぞれインタフェース回路を設けて、該各インタフェース回路が伝送路５によって接続されるようにしてもよく、このようにしたものを本発明の第６の実施の形態とする。
【００５６】
図１２は、本発明の第６の実施の形態におけるＩＣタグ用リーダ／ライタの構成例を示した図である。なお、図１２では、図１１の場合の構成を例にして示しており、図１１と同じもの又は同様のものは同じ符号で示し、ここではその説明を省略すると共に、図１１との相違点のみ説明する。
図１２における図１１との相違点は、図１１のアンテナユニット５１にインタフェース回路をなす通信回路部５７を、図１１の回路ユニット６１にインタフェース回路をなす通信回路部６２をそれぞれ設けるようにしたことにあり、これに伴って、図１１のアンテナユニット５１をアンテナユニット５１ａに、図１１の回路ユニット６１を回路ユニット６１ａにそれぞれし、図１１のリーダ／ライタ６０をリーダ／ライタ６０ａにした。
【００５７】
図１２において、リーダ／ライタ６０ａは、回路ユニット６１ａ、アンテナユニット５１ａ、及び回路ユニット６１ａとアンテナユニット５１ａを接続する伝送路５で構成されている。回路ユニット６１ａは、制御回路部３と、アンテナユニット５１ａとシリアル通信を行うためのインタフェース回路をなす通信回路部６２とを備えている。また、アンテナユニット５１ａは、変復調回路部４と、アンテナ側発振回路部５２と、分周回路部５３と、位相比較回路部５４と、回路ユニット６１ａとシリアル通信を行うためのインタフェース回路をなす通信回路部５７とを備えている。なお、アンテナユニット５１ａはアンテナユニット部を、回路ユニット６１ａは回路ユニット部をそれぞれなしている。
【００５８】
回路ユニット６１ａにおいて、通信回路部６２は制御回路部３に接続され、アンテナユニット５１ａにおいて、通信回路部５７は変復調回路部４及び分周回路部５３に接続されている。通信回路部５７と通信回路部６２は、伝送路５を介して信号の授受を行っている。分周回路部５３で分周した信号は、通信回路部５７から伝送路５、更に伝送路５から通信回路部６２を介して制御回路部３に出力される。制御回路部３は、分周回路部５３から入力された信号に送信用データを重畳させて通信回路部６２から伝送路５、更に伝送路５から通信回路部５７を介して変復調回路部４に出力する。
【００５９】
変復調回路部４は、通信回路部５７を介して制御回路部３から入力された送信データ信号とアンテナ側発振回路部５２から入力された搬送波に対して所定の方法で変調してアンテナＡＮＴ１へ出力し、アンテナＡＮＴ１から入力された受信信号に対して所定の方法で復調し、該復調して得られたデータ信号は、通信回路部５７から伝送路５、更に伝送路５から通信回路部６２を介して制御回路部３に出力される。
ここで、図１２では、ＩＣタグ１０が１つの場合を例にして示したが、ＩＣタグ１０が複数ある場合は、図６のアンテナユニットＡＵａ１〜ＡＵａｎを図１１のアンテナユニット５１ａの構成にし、図６の回路ユニット６ａを図１１の回路ユニット６１ａにすればよい。
【００６０】
このようなことから、前記第５の実施の形態と同様の効果を得ることができると共に、伝送路５を使用して、回路ユニット６１ａとアンテナユニット５１ａとの間でシリアル通信を行うことができ、回路ユニット６１ａとアンテナユニット５１ａとの間での信号の授受をより確実に行うことができる。また、ＩＣタグとの通信に使用される搬送波を低周波のクロックに変換して回路ユニットとの通信を行うようにしたことから、アンテナユニットと回路ユニットを結ぶ伝送路５をなすケーブルから放出される不要な電波が減少し、装置内の回路に対するノイズの発生を少なくすることができる。
【００６１】
なお、前記説明では、第２の実施の形態のリーダ／ライタを複写機やプリンタ等の装置に応用した場合の例を図４に示したが、他の各実施の形態におけるリーダ／ライタを複写機やプリンタ等の装置に応用した場合も図４のようになる。具体的には、図１の場合は、図４の回路ユニット２６が回路ユニット６になり、図４の伝送路２７が伝送路５になり、図４の変復調回路部ＭＤ１が変復調回路部４になり、図４のＩＣタグＩＴ１がＩＣタグ１０になり、アンテナＡＮＴ２、変復調回路部ＭＤ２及びＩＣタグＩＴ２がない。また、図２の場合は、図４の回路ユニット２６が回路ユニット６になり、図４の伝送路２７が伝送路５になり、図４の変復調回路部ＭＤ１及びＭＤ２がそれぞれ変復調回路部４になる。
【００６２】
また、図５の場合は、図４の回路ユニット２６が回路ユニット６ａになり、図４の伝送路２７が伝送路５になり、図４の変復調回路部ＭＤ１が変復調回路部４と通信回路部４２を合わせたものに置き換わり、図４のＩＣタグＩＴ１がＩＣタグ１０になり、アンテナＡＮＴ２、変復調回路部ＭＤ２及びＩＣタグＩＴ２がない。また、図６の場合は、図４の回路ユニット２６が回路ユニット６ａになり、図４の伝送路２７が伝送路５になり、図４の変復調回路部ＭＤ１及びＭＤ２が変復調回路部４と通信回路部４２を合わせたものにそれぞれ置き換わる。図７の場合は、図４の変復調回路部ＭＤ１が変復調回路部ＭＤ１と通信回路部４２を合わせたものに、図４の変復調回路部ＭＤ２が変復調回路部ＭＤ２と通信回路部４２を合わせたものにそれぞれ置き換わる。
【００６３】
次に、図９の場合、図４の回路ユニット２６が回路ユニット６になり、図４の伝送路２７が伝送路５になり、図４の変復調回路部ＭＤ１が変復調回路部４とアンテナ側発振回路部５２と分周回路部５３と位相比較回路部５４を合わせたものに置き換わり、図４のＩＣタグＩＴ１がＩＣタグ１０になり、アンテナＡＮＴ２、変復調回路部ＭＤ２及びＩＣタグＩＴ２がない。図１０の場合、図４の回路ユニット２６が回路ユニット６になり、図４の伝送路２７が伝送路５になり、図４の変復調回路部ＭＤ１が変復調回路部４とＰＬＬ回路５５を合わせたものに置き換わり、図４のＩＣタグＩＴ１がＩＣタグ１０になり、アンテナＡＮＴ２、変復調回路部ＭＤ２及びＩＣタグＩＴ２がない。
【００６４】
図１１の場合、図４の回路ユニット２６が回路ユニット６１になり、図４の伝送路２７が伝送路５になり、図４の変復調回路部ＭＤ１が変復調回路部４とアンテナ側発振回路部５２と分周回路部５３と位相比較回路部５４を合わせたものに置き換わり、図４のＩＣタグＩＴ１がＩＣタグ１０になり、アンテナＡＮＴ２、変復調回路部ＭＤ２及びＩＣタグＩＴ２がない。図１２の場合、図４の回路ユニット２６が回路ユニット６１ａになり、図４の伝送路２７が伝送路５になり、図４の変復調回路部ＭＤ１が変復調回路部４とアンテナ側発振回路部５２と分周回路部５３と位相比較回路部５４と通信回路部５７を合わせたものに置き換わり、図４のＩＣタグＩＴ１がＩＣタグ１０になり、アンテナＡＮＴ２、変復調回路部ＭＤ２及びＩＣタグＩＴ２がない。
【００６５】
なお、前記説明では、ＩＣタグ用リーダ／ライタを例にして説明したが、本発明はこれに限定するものではなく、ＩＣタグ用リーダ及び／又はライタに適用するものである。
【００６６】
また、図１０から図１２で示したアンテナユニットに含まれる回路は、それぞれ１チップのＩＣに集積されている。
【００６７】
第７の実施の形態．
ＩＣタグは、同一周波数帯の電波を使用していても、通信データの符号化や通信プロトコルに色々な方式が使用されているため、ＩＣタグと通信を行うためには、ＩＣタグとリーダ／ライタの符号化方式や通信プロトコルが一致していなければならなかった。符号化方式や通信プロトコルがあらかじめ分かっている特定のＩＣタグとだけ通信を行うリーダ／ライタであれば特に問題はない。しかし、リーダ／ライタが符号化方式や通信プロトコルの異なる様々なＩＣタグとの通信を行うことができるようにするには、通信を行うＩＣタグの符号化方式や通信プロトコルを認識して、該ＩＣタグの通信モードに合わせなくてはならなかった。しかし、ＩＣタグごとに通信モードを合わせるために通信モードの異なる複数のリーダ／ライタを備えるようにすると、回路規模が増大してコストアップになるという問題があった。
このことから、リーダ／ライタの回路を、通信モードによって変更を受けない回路部分と、通信モードによって変更を受ける回路部分とに分け、変更を受けない回路部分を１チップのＩＣで実現し、変更を受ける回路部分は、ＣＰＵを用いてソフトウエアで実現するようにしてもよく、このようにしたものを本発明の第７の実施の形態とする。
【００６８】
図１３は、本発明の第７の実施の形態におけるＩＣタグ用リーダ／ライタの構成例を示した図である。なお、図１３では、図１の場合の構成を例にして示しており、図１と同じもの又は同様のものは同じ符号で示し、ここではその説明を省略すると共に、図１との相違点のみ説明する。
図１３における図１との相違点は、ＩＣタグ１０に自身の情報であるＩＤ情報を記憶したＩＤ情報記憶部８１を備え、変復調回路部４で復調された受信データから前記ＩＤ情報の検出を行う検出部７１を制御回路部３内に設けたことにあり、これに伴って、図１のＩＣタグ１０をＩＣタグ８０に、図１の制御回路部３を制御回路部７２にそれぞれし、図１の回路ユニット６を回路ユニット７３に、図１のリーダ／ライタ１をリーダ／ライタ７０にそれぞれした。
【００６９】
図１３において、リーダ／ライタ７０は、異なる通信プロトコルを有するＩＣタグとデータの授受を行うものであり、所定の周波数の搬送波を生成して出力する発振回路部２と、発振回路部２からの搬送波に重畳するデータ信号の入出力を行う制御回路部７２と、変復調回路部４と、アンテナＡＮＴ１と、伝送路５とを備えている。発振回路部２と制御回路部７２が１つのチップ又は複数の集積回路で形成された１つのユニットである回路ユニット７３をなしている。一方、ＩＣタグ８０は、アンテナＡＮＴ２と、変復調回路部１１と、ＩＣタグ８０の情報であるＩＤ情報をあらかじめ記憶したＩＤ情報記憶部８１とを備え、ＩＤ情報記憶部８１は変復調回路部１１に接続されている。また、制御回路部７２には、変復調回路部４で復調された受信データから前記ＩＤ情報の検出を行う検出部７１が設けられている。なお、回路ユニット７３は回路ユニット部をなし、アンテナユニット７内の変復調回路部４は１チップのＩＣに集積されている。
【００７０】
このような構成において、リーダ／ライタ７０は、ＩＣタグ８０との通信を行う場合、まず最初に、制御回路部７２が、ＩＣタグ８０のＩＤ情報記憶部８１に格納されたＩＤ情報を受信するためのＩＤデータ受信用信号をアンテナユニット７からＩＣタグ８０に送信する。ＩＣタグ８０は、該ＩＤデータ受信用信号を受け取ると、図１４に示すように、まず最初にＩＤ情報を出力する。該ＩＤ情報としては、例えば図１４の（ａ）で示すような５０％のデューティサイクルのパルス列を所定の数だけ出力したものや、図１４の（ｂ）で示すような２５％のデューティティサイクルのパルス列を所定の数だけ出力したもの等がある。
【００７１】
ここで、ＩＣタグ８０のＩＤ情報を取得する方法としては、例えば、ＩＣタグ８０のＩＤ情報があらかじめ分かっている場合は、例えばリーダ／ライタ７０の制御回路部７２に対して、符号化方式や通信プロトコルの設定を外部から行うことができるようにするようにしてもよい。また、制御回路部７２に複数の通信モード、すなわち複数の符号化方式や通信プロトコルがあらかじめ設定されており、制御回路部７２は、順次異なる符号化方式と通信プロトコルを使用してＩＣタグ８０と通信を行い、ＩＤ情報が得られた符号化方式と通信プロトコルを使用してＩＣタグ８０とデータの送受信を行うようにしてもよい。
【００７２】
ＩＣタグ８０から送信されたＩＤ情報は、リーダ／ライタ７０のアンテナユニット７の変復調回路部４で復調され、回路ユニット７３内の制御回路部７２に送られ、制御回路部７２の検出部７１で、ＩＣタグ８０のＩＤ情報が検出される。検出部７１は、受信したデータの先頭であるＩＤ情報を解析することで図１４のデータの開始点を検出する。制御回路部７２は、検出部７１が解析したＩＤ情報に応じた通信モードを選択して、ＩＣタグ８０との通信を行う。該通信モードには、データの送受信に使用されるデータ符号化方式や、通信プロトコル方式が含まれている。通信モードに関わる部分は、制御回路部７２に含まれる、ソフトウエアで動作するＣＰＵ等を使用して実現する。このようにして、通信モードの異なるＩＣタグとの通信が、１つのリーダ／ライタ７０で可能になる。
【００７３】
図１５は、図１３のリーダ／ライタ７０におけるＩＣタグ８０とのデータ送受信を行う処理例を示したフローチャートであり、図１５を用いて、ＩＣタグ８０からＩＤ情報が得られた後の制御回路部７２の動作についてもう少し詳細に説明する。
図１５において、まず最初に、制御回路部７２は、ホスト装置（図示せず）からのデータ受信等によってＩＣタグ８０への送信データを準備する（ステップＳ１）。次に、制御回路部７２は、通信すべきＩＣタグ８０に対応した通信プロトコルを選択し（ステップＳ２）、送信データを通信プロトコル仕様に対応した通信プロトコルデータに変換する（ステップＳ３）。次に、制御回路部７２は、通信すべきＩＣタグに対応した符号化方式を選択し（ステップＳ４）、通信プロトコルデータを該選択した符号化方式を用いて符号化を行う（ステップＳ５）。
【００７４】
この後、制御回路部７２は、符号化したデータを変復調回路部４に送信する（ステップＳ６）。データ送信後、制御回路部７２は、変復調回路部４から入力された受信データから検出部７１がＩＣタグ８０のＩＤ情報を検出したか否かを確認し（ステップＳ７）、検出部７１がＩＤ情報を検出していない場合（ＮＯ）は、ステップＳ７の動作を引き続き行われ、検出部７１が該ＩＤ情報を検出すると（ＹＥＳ）、データ開始点を検出できたことから、以後のデータを変調された受信データとして取り扱う。制御回路部７２は、通信すべきＩＣタグに対応した復号化方式を選択し（ステップＳ８）、変調された受信データを復号化し、通信プロトコルデータに変換する（ステップＳ９）。次に、制御回路部７２は、通信すべきＩＣタグに対応した通信プロトコルを選択し（ステップＳ１０）、通信プロトコルデータを受信データに変換する（ステップＳ１１）。一連の送受信が終了すると、制御回路部７２は、次の受信データが準備されるまで待機する。
【００７５】
なお、図１３では、図１の構成を有する場合を例にして説明したが、他の前記構成の場合においても、制御回路部内に検出部７１を設けるようにすればよく、この場合も図１３の場合と同様であるのでその説明を省略する。
ここで、図１３では、検出部７１が制御回路部７２内に設けられている場合を例にして示したが、アンテナユニット７に設けるようにしてもよく、このようにした場合、図１３は、図１６のようになる。
図１６は、本発明の第７の実施の形態におけるＩＣタグ用リーダ／ライタの他の構成例を示した図である。なお、図１６では、図１３と同じもの又は同様のものは同じ符号で示しており、ここではその説明を省略し図１３との相違点のみ説明する。
【００７６】
図１６における図１３との相違点は、検出部７１がアンテナユニット７に設けられたことにあり、これに伴って、回路ユニット７３は図１の回路ユニット６に置き換え、図１のアンテナユニット７をアンテナユニット７５に、図１のリーダ／ライタ７０をリーダ／ライタ７０ａにした。
図１６において、リーダ／ライタ７０ａは、図１３の場合と同様にしてＩＣタグ８０のＩＤ情報を取得する。ＩＣタグ８０から送られてきたＩＤ情報は、リーダ／ライタ７０ａのアンテナユニット７５の変復調回路部４で復調され、検出部７１は、該復調されたデータを解析し、該解析結果を伝送路５を介して回路ユニット６の制御回路部３に送信する。制御回路部３は、検出部７１が解析したＩＤ情報に応じた通信モードを選択して、ＩＣタグ８０との通信を行うようにする。なお、図１６の場合、アンテナユニット７５はアンテナユニット部をなし、検出部７１は、アンテナユニット７５に含まれる他の回路と共に１チップのＩＣに集積される。
【００７７】
このように、本第７の実施の形態におけるリーダ／ライタは、前記第１の実施の形態と同様の効果を得ることができると共に、ＩＣタグとの通信における変復調回路部と変復調に関わる部分だけを１チップに集積し、通信モードに関わる回路は制御回路部で処理するようにしたことから、アンテナユニットで使用する集積回路は非常に汎用性に富んだものとなるため、量産効果が得られ、安価に製造することができる。また、通信モードは、制御回路部に含まれるＣＰＵ等を使用したソフトウエアで実現するようにしたことから、制御回路部の共通化を図ることができ、多くの通信モードに対応させても、回路規模の増加を抑えることができる。
【００７８】
なお、前記第７の実施の形態における説明では、ＩＣタグ用リーダ／ライタを例にして説明したが、本発明はこれに限定するものではなく、ＩＣタグ用リーダ及び／又はライタに適用するものである。
【符号の説明】
【００７９】
１，１ａ，２１，２１ａ，５０，６０，６０ａ，７０，７０ａ  リーダ／ライタ
２，２２  発振回路部
３，２４，７２，７２ａ  制御回路部
４，１１，ＭＤ１〜ＭＤｎ  変復調回路部
５，２７  伝送路
６，２６，６１，６１ａ，７３，７３ａ  回路ユニット
７，７ａ，ＡＵ１〜ＡＵｎ，ＡＵａ１〜ＡＵａｎ，５１，５１ａ，７５  アンテナユニット
１０，ＩＴ１〜ＩＴｎ，８０  ＩＣタグ
２３  切替回路部
２５  記憶部
３１  装置
３２  取り付け部
３５，３６  パーツ
４１，４２，５７，６２  通信回路部
ＡＮＴ１，ＡＮＴ２，ＡＮＴ１〜ＡＮＴｎ，ＡＮＴａ１〜ＡＮＴａｎ  アンテナ
５２  アンテナ側発振回路部
５３  分周回路部
５４  位相比較回路部
５５  ＰＬＬ回路
７１  検出部
８１  ＩＤ情報記憶部
【先行技術文献】
【特許文献】
【００８０】
【特許文献１】特開２００２−２５９９２１号公報
【特許文献２】特開平７−２００７４９号公報
【図１】
2011019284.tif 000003
【図２】
2011019284.tif 000004
【図３】
2011019284.tif 000005
【図４】
2011019284.tif 000006
【図５】
2011019284.tif 000007
【図６】
2011019284.tif 000008
【図７】
2011019284.tif 000009
【図８】
2011019284.tif 000010
【図９】
2011019284.tif 000011
【図１０】
2011019284.tif 000012
【図１１】
2011019284.tif 000013
【図１２】
2011019284.tif 000014
【図１３】
2011019284.tif 000015
【図１４】
2011019284.tif 000016
【図１５】
2011019284.tif 000017
【図１６】
2011019284.tif 000018